(57)【要約】【課題】平面部に直付けされる器具本体にカバーが取り付けられる構造では、本体側係合部にカバー側係合部が乗り上げてはいるが両者が係合完了しないうちに取り付け作業が終了した場合に、簡単にカバーが器具本体から脱落してしまう。【解決手段】器具本体（スピーカシステム本体）１０には本体側係合部２０が設けられている。カバー４０にはカバー側係合部５０が設けられている。本体側係合部２０は、後向面２２と、後向面２２の延在方向基端に、後向面２２よりも後方に突出する第１突出部２３と、後向面２２の延在方向先端に、後向面２２よりも後方に突出する第２突出部２７とを有する。カバー側係合部５０は、前向面５２と、前向面５２の延在方向先端に、前向面５２よりも前方に突出する第３突出部５３とを有する。【選択図】      図７
2004173007.tif 000002
【特許請求の範囲】
【請求項１】
平面部に直付けされる器具本体と、該器具本体の前面を覆うように、該器具本体に取り付けられるカバーとを具備し、
該器具本体の略円形の周縁部に本体側係合部が設けられ、
該カバーの、該本体側係合部に対応する位置にカバー側係合部が設けられ、
該本体側係合部は、円周方向に延在する後向面と、該後向面の延在方向基端に、該後向面よりも後方に突出する第１突出部と、該後向面の延在方向先端に、該後向面よりも後方に突出する第２突出部とを有し、
該カバー側係合部は、円周方向に延在する前向面と、該前向面の延在方向先端に、該前向面よりも前方に突出する第３突出部とを有し、
該器具本体を前から覆うように該カバーが取り付けられたとき、該本体側係合部の後向面よりも後方に該カバー側係合部の前向面が位置することができるように、該本体側係合部が該器具本体に設けられ、かつ、該カバー側係合部が該カバーに設けられた、平面部直付器具のカバー取付構造。
【請求項２】
平面部に直付けされる器具本体と、該器具本体の前面を覆うように、該器具本体に取り付けられるカバーとを具備し、
該器具本体の略円形の周縁部に本体側係合部が設けられ、
該カバーの、該本体側係合部に対応する位置にカバー側係合部が設けられ、
該カバー側係合部は、円周方向に延在する前向面と、該前向面の延在方向先端に、該前向面よりも前方に突出する第１突出部と、該前向面の延在方向基端に、該前向面よりも前方に突出する第２突出部とを有し、
該本体側係合部は、円周方向に延在する後向面と、該後向面の延在方向基端に、該後向面よりも後方に突出する第３突出部とを有し、
該器具本体を前から覆うように該カバーが取り付けられたとき、該本体側係合部の後向面よりも後方に該カバー側係合部の前向面が位置することができるように、該本体側係合部が該器具本体に設けられ、かつ、該カバー側係合部が該カバーに設けられた、平面部直付器具のカバー取付構造。
【請求項３】
該本体側係合部が該器具本体に複数設けられ、該カバー側係合部が該カバーに複数設けられ、該複数の本体側係合部と該複数のカバー側係合部とが相互に対応する位置に設けられた、請求項１または２記載の平面部直付器具のカバー取付構造。
【請求項４】
該第１突出部、該第２突出部  および  該第３突出部のうちの一部または全部が、前後方向に可撓である、請求項１乃至３のいずれか一の項に記載の平面部直付器具のカバー取付構造。
【請求項５】
該平面部直付器具が天井埋込形スピーカシステムであり、該器具本体がスピーカユニットを有し、該カバーが透音性のカバーである、請求項１乃至４のいずれか一の項に記載の平面部直付器具のカバー取付構造。
【発明の詳細な説明】
【０００１】
【発明の属する技術分野】
この出願に係る発明は、平面部に直付けされる器具本体へ、カバーを取り付けるための構造に関し、特に、カバーの脱落を防止することができるような、平面部直付器具のカバー取付構造に関する。
【０００２】
【従来の技術】
平面部に直付けされる器具本体にカバーが取り付けられることがある。例えば、天井面に直付けされる天井埋込形スピーカシステムにおいて、天井壁の開口にスピーカシステム本体が取り付けられており、このスピーカシステム本体の前面を覆うように、前から（下から）カバーが取り付けられるような場合である。
【０００３】
図１２は、従来のカバー取付構造を示すものである。天井壁１７０には円形の開口が形成されており、この開口にスピーカユニット１１１を有するスピーカシステム本体１１０がはめ込まれている。スピーカシステム本体１１０は、主にスピーカユニット１１１と取付部材１１５とにより構成されている。取付部材１１５の中央部には円孔（図示せず）が形成されており、取付部材１１５の裏面側に取り付けられたスピーカユニット１１１の振動板がこの円孔から露出している。裏面側にスピーカユニット１１１を搭載した状態の取付部材１１５を、天井壁１７０に固定することにより、スピーカシステム本体１１０が天井に直付け状態で固定される。
【０００４】
このスピーカシステム本体１１０の前面を覆うようにして、透音性のカバー１４０が取付部材１１５に取り付けられる。
【０００５】
取付部材１１５の周縁部の複数箇所には本体側係合部１２０が形成されている。また、カバー１４０の周縁部において、これら本体側係合部１２０に対応する箇所には、カバー側係合部１５０が形成されている。
【０００６】
このカバー１４０をスピーカシステム本体１１０に取り付けるときには、まず、本体側係合部１２０とカバー側係合部１５０とが近接するようにしてカバー１４０をスピーカシステム本体１１０にはめ合わせ、次にカバー１４０を回転させる。すると、本体側係合部１２０にカバー側係合部１５０が乗り上げ、両者（本体側係合部１２０とカバー側係合部１５０）が係合する。
【０００７】
図１３は、本体側係合部１２０とカバー側係合部１５０とが係合してゆく状態を段階的に示すものである。（ａ）は係合開始の状態を、（ｂ）は係合完了前の状態を、（ｃ）は係合完了の状態を、それぞれ示す。（ｂ）の状態から（ｃ）の状態へ移行するとき、カバー側係合部１５０の突出部１５３が本体側係合部１２０の突出部１２７を乗り越える。係合完了状態（（ｃ）の状態）となると、特別に大きな回転力をカバー１４０に加えない限り、両者（本体側係合部１２０とカバー側係合部１５０）の係合が解除されない。よって、天井埋込形スピーカシステムの通常使用状態において、スピーカシステム本体１１０からカバー１４０が脱落するすることはない。
【０００８】
【発明が解決しようとする課題】
ところが、作業者がカバー１４０をスピーカシステム本体１１０に取り付けようとするときに、図１３（ｂ）の状態で放置する可能性がある。例えば、カバー１４０の上端が天井面に接触しているような場合には、（ａ）から（ｂ）の状態へ移行させるにもある程度の大きな回転力をカバー１４０に加えなければならないし、（ｂ）の状態でもカバー１４０のがたつきがない場合があるからである。つまり、作業者は、両係合部（本体側係合部１２０とカバー側係合部１５０）が（ｂ）のような状態であるにもかかわらず、係合が完了したと勘違いして、この状態（（ｂ）の状態）で作業を終了してしまう可能性があるのである。
【０００９】
かかる状態（（ｂ）の状態）で放置されたままでは、スピーカシステム本体１１０からカバー１４０が脱落するおそれがある。特に、スピーカユニット１１１が駆動されると、スピーカシステム本体１１０やカバー１４０が振動する状態となり、カバー１４０がスピーカシステム本体１１０に対して係合が解除される方向に徐々に回転し、最終的にカバー１４０がスピーカシステム本体１１０から脱落する可能性がある。
【００１０】
本願発明は、カバーの脱落を極力防止することができるような、平面部直付器具のカバー取付構造を提供することを目的とする。
【００１１】
【課題を解決するための手段】
上記課題を解決するために、この出願発明に係る平面部直付器具のカバー取付構造は、平面部に直付けされる器具本体と、該器具本体の前面を覆うように、該器具本体に取り付けられるカバーとを具備し、該器具本体の略円形の周縁部に本体側係合部が設けられ、該カバーの、該本体側係合部に対応する位置にカバー側係合部が設けられ、該本体側係合部は、円周方向に延在する後向面と、該後向面の延在方向基端に、該後向面よりも後方に突出する第１突出部と、該後向面の延在方向先端に、該後向面よりも後方に突出する第２突出部とを有し、該カバー側係合部は、円周方向に延在する前向面と、該前向面の延在方向先端に、該前向面よりも前方に突出する第３突出部とを有し、該器具本体を前から覆うように該カバーが取り付けられたとき、該本体側係合部の後向面よりも後方に該カバー側係合部の前向面が位置することができるように、該本体側係合部が該器具本体に設けられ、かつ、該カバー側係合部が該カバーに設けられている（請求項１）。
【００１２】
かかる構造によれば、カバー側係合部が本体側係合部に乗り上げ、第３突出部が第１突出部及び第２突出部を乗り越えた状態が、本来の係合完了状態となる。
しかし仮に、第３突出部が第１突出部を乗り越え、かつ、第２突出部を乗り越えない状態で、カバーの器具本体への取付作業が終了したとしても、カバーが器具本体から離れるには、第３突出部が逆戻りで第１突出部を乗り越えなければならず、これにはある程度の大きさの回転力がカバーに加えられなければならない。
よって、第３突出部が第１突出部を乗り越え、かつ、第２突出部を乗り越えない状態で、カバーの器具本体への取付作業が終了したとしても、カバーは器具本体から簡単には脱落しない。
【００１３】
また上記課題を解決するために、この出願発明に係るもう一つの平面部直付器具のカバー取付構造は、平面部に直付けされる器具本体と、該器具本体の前面を覆うように、該器具本体に取り付けられるカバーとを具備し、該器具本体の略円形の周縁部に本体側係合部が設けられ、該カバーの、該本体側係合部に対応する位置にカバー側係合部が設けられ、該カバー側係合部は、円周方向に延在する前向面と、該前向面の延在方向先端に、該前向面よりも前方に突出する第１突出部と、該前向面の延在方向基端に、該前向面よりも前方に突出する第２突出部とを有し、該本体側係合部は、円周方向に延在する後向面と、該後向面の延在方向基端に、該後向面よりも後方に突出する第３突出部とを有し、該器具本体を前から覆うように該カバーが取り付けられたとき、該本体側係合部の後向面よりも後方に該カバー側係合部の前向面が位置することができるように、該本体側係合部が該器具本体に設けられ、かつ、該カバー側係合部が該カバーに設けられている（請求項２）。
【００１４】
かかる構造によれば、カバー側係合部が本体側係合部に乗り上げ、第１突出部及び第２突出部が第３突出部を乗り越えた状態が、本来の係合完了状態となる。
しかし仮に、第１突出部が第３突出部を乗り越え、かつ、第２突出部が第３突出部を乗り越えない状態で、カバーの器具本体への取付作業が終了したとしても、カバーが器具本体から離れるには、第１突出部が逆戻りで第３突出部を乗り越えなければならず、これにはある程度の大きさの回転力がカバーに加えられなければならない。よって、第１突出部が第３突出部を乗り越え、かつ、第２突出部が第３突出部を乗り越えない状態で、カバーの器具本体への取付作業が終了したとしても、カバーは器具本体から簡単には脱落しない。
【００１５】
上記平面部直付器具のカバー取付構造において、該本体側係合部が該器具本体に複数設けられ、該カバー側係合部が該カバーに複数設けられ、該複数の本体側係合部と該複数のカバー側係合部とが相互に対応する位置に設けられていてもよい（請求項３）。
【００１６】
かかる構造によれば、複数の係合箇所が生じ、カバーは器具本体から、より脱落しにくくなる。
【００１７】
また上記平面部直付器具のカバー取付構造において、該第１突出部、該第２突出部  および  該第３突出部のうちの一部または全部が、前後方向に可撓であってもよい（請求項４）。
【００１８】
かかる構造によれば、係合作業時、ある突出部が他の突出部を乗り越えようとするとき、大きな回転力を必要とせず、作業の円滑を図ることができる。
【００１９】
また上記平面部直付器具のカバー取付構造において、該平面部直付器具が天井埋込形スピーカシステムであり、該器具本体がスピーカユニットを有し、該カバーが透音性のカバーであってもよい（請求項５）。
【００２０】
天井埋込形スピーカシステムは、スピーカユニットからの振動を受けやすく、特にカバーの器具本体（スピーカシステム本体）に対する取付状態の安定が望まれるため、かかる構造は特に有益である。
【００２１】
【発明の実施の形態】
この出願発明の実施形態を図面を参照しながら説明する。まず図１〜６を参照しつつ、本願発明の一実施形態のカバー取付構造を適用した天井埋込形スピーカシステムの概略的な構成を説明する。なお以下では、スピーカシステム本体に対してカバーを係合させようとしてカバーを回転させるときの方向を周方向における「先」の方向として説明する。そして回転方向先方の端を先端とし、その反対側の端を基端として説明する。また、天井埋込形スピーカシステムは平面部たる天井面に下向きに取り付けられるので、下方を前方とし、上方を後方として説明する。
【００２２】
図１は、天井壁７０に取り付けられた天井埋込形スピーカシステム１の縦断面図である。この天井壁７０の天井面（表面）７０ｂは、平面部である。天井埋込形スピーカシステム１は、スピーカシステム本体１０と、透音性のカバー４０とを有する。
【００２３】
天井壁７０には円形の開口７０ａが形成されており、この開口７０ａにスピーカシステム本体１０がはめ込まれている。スピーカシステム本体１０は、主にスピーカユニット１１と取付部材１５とにより構成されている。取付部材１５の中央部には円孔１６が形成されており、取付部材１５の裏面側に取り付けられたスピーカユニット１１の振動板１２がこの円孔１６から露出している。裏面側にスピーカユニット１１を搭載した状態の取付部材１５を、天井壁７０に固定することにより、スピーカシステム１０本体が天井面７０ｂに直付け状態で固定されている。カバー４０は、スピーカユニット１１の振動板１２の前面を覆うようにして、取付部材１５に取り付けられている。
【００２４】
図２は、スピーカシステム本体１０を裏面側から見た斜観図であり、図３はスピーカシステム本体１０の背面図である。取付部材１５の周縁部の形状は略円形状である。取付部材１５の周縁部において、半径方向外側に突出するようにして、等角度間隔で４カ所に本体側係合部２０が形成されている。本体側係合部２０を含め、取付部材１５は合成樹脂の一体成形で製造されている。
【００２５】
本体側係合部２０は、周方向に伸延する略長方形の板状である。本体側係合部２０は、水平部２１と、第１突出部２３と、第２突出部２７とを有する。
【００２６】
本体側係合部２０の周方向中央には水平方向に伸びる水平部２１が形成されている。水平部２１の後向面（上面）２２は水平面である。
【００２７】
水平部２１の周方向基端側には、水平部２１に連続して、後向面２２よりも後方（上方）に突出する第１突出部２３が形成されている。第１突出部２３は、頂部２４を境に周方向両側に向かって斜め前方（斜め下方）に傾斜する、２の傾斜面２５，２６を有する。
【００２８】
水平部２１の周方向先端側には、水平部２１と連続して、後向面２２よりも後方（上方）に突出する第２突出部２７が形成されている。第２突出部２７は、水平部２１の先端から周方向先方に向かって斜め後方（斜め上方）に傾斜する傾斜面２８を有する。
【００２９】
スピーカシステム本体１０の、第２突出部２７よりも周方向先方に、第２突出部２７と所定の間隔を置いて、衝突面２９が形成されている。この衝突面２９は、略垂直面であり、第２突出部２７の方を向いている。
【００３０】
図４はカバー４０を裏面側から見た斜観図であり、図５はカバー４０の背面図であり、図６は図５のＶＩ−ＶＩ線矢視断面図である。
【００３１】
カバー４０は枠体４１と、ネット部材４５とを有する。カバー４０の周縁部は枠体４１で構成されており、枠体４１は略円環状である。よってカバー４０の周縁部は略円形をなす。ネット部材４５はこの枠体４１から前方向（下方向）に突出するようにして、枠体４１に固定されている。
【００３２】
枠体４１には、半径方向内側に突出するようにして、等角度間隔で４カ所にカバー側係合部５０が形成されている。カバー側係合部５０を含め、枠体４１は合成樹脂による一体成形で製造されている。
【００３３】
カバー側係合部５０はカバー４０において、本体側係合部２０に対応する位置に形成されている。スピーカシステム本体１０における本体側係合部２０の半径方向位置と、カバー４０におけるカバー側係合部５０の半径方向位置は、略等しい。
【００３４】
カバー側係合部５０は、周方向に伸延する略長方形の板状である。カバー側係合部５０は、水平部５１と、第３突出部５３とを有する。
【００３５】
カバー側係合部５０の水平部５１は水平方向に伸びており、その前向面（下面）５２は水平面である（図６参照）。水平部５１の周方向先端側には、水平部５１と連続して、前向面５２よりも前方（下方）に突出する第３突出部５３が形成されている。
【００３６】
次に図７〜図１０を参照しつつ、天井壁７０に固定された状態のスピーカシステム本体１０に、カバー４０を取り付ける手順を説明する。
【００３７】
図７は天井壁７０に固定されたスピーカシステム本体１０と、これに取り付けようとするカバー４０の側面図である。カバー４０をスピーカシステム本体１０に取り付けるときには、まず、本体側係合部２０の第１突出部２３とカバー側係合部５０の第３突出部５３とが近接するようにして、スピーカシステム本体１０にカバー４０をはめ合わせる。
【００３８】
図８は、スピーカシステム本体１０とカバー４０とを上記のように（第１突出部２３と第３突出部５３とが近接するように）はめ合わせれた状態において、両係合部（本体側係合部２０とカバー側係合部５０）及びその近傍を裏面から見たときの斜観図である。なお、この図においては天井壁７０は省略されている。このような状態（図８の状態）から、カバー４０を周方向先方に回転させることにより、両係合部が係合してゆく。
【００３９】
図９は、本体側係合部２０とカバー側係合部５０とが係合しゆく状態を（ａ）〜（ｄ）により段階的に示す斜観図であり、図１０は、本体側係合部２０とカバー側係合部５０とが係合しゆく状態を（ａ）〜（ｄ）により段階的に示す側面図である。
【００４０】
図９（ａ），図１０（ａ）は、係合開始時の状態であって、第３突出部５３が第１突出部２３の傾斜面２５にさしかかったときの状態である。第３突出部５３は傾斜面２５に導かれて、円滑に頂部２４へ導かれる。本体側係合部２０においては、水平部２１が支持部３０で支持されている。しかし、支持部３０は第１突出部２３にまでは延びておらず、よって、第１突出部２３は、前後方向（上下方向）に幾分撓むことができるようになっている。従って、第３突出部５３が第１突出部２３を乗り越えようとするとき、第１突出部２３が前方（下方）に撓む。これにより第３突出部５３が第１突出部２３を乗り越えやすくなる。
【００４１】
図９（ｂ），図１０（ｂ）は、第３突出部５３が第１突出部２３を乗り越えて水平部２１に達した状態である。
【００４２】
図９（ｃ），図１０（ｃ）は、第３突出部５３が第２突出部２７の傾斜面２８にさしかかったときの状態である。第３突出部５３は傾斜面２８に導かれて、円滑に第３突出部２７の先端へ導かれる。本体側係合部２０においては、水平部２１を支持する支持部３０は第２突出部２７にまでは延びておらず、よって、第２突出部２７は、前後方向（上下方向）に幾分撓むことができるようになっている。従って、第３突出部５３が第２突出部２７を乗り越えようとするとき、第２突出部２７が前方（下方）に撓む。これにより第３突出部５３が第２突出部２７を乗り越えやすくなる。
【００４３】
図９（ｄ），図１０（ｄ）は、第３突出部５３が第２突出部２７を乗り越えたときの状態である。本体側係合部２０をカバー側係合部５０の全体が乗り上げ、本体側係合部２０の水平部２１の後向面２２よりもカバー側係合部５０の水平部５１の前向面５２が後方（上方）に位置している。カバー側係合部５０がこれ以上円周方向先方へ移動しようとしても衝突面２９に衝突するので、これよりも先方へは移動できない。この状態では、第３突出部５３と第２突出部２７とが互いにかみ合った状態となっており、ある程度の大きさの回転力がカバー４０に加えられない限りは、両者のかみ合い状態が解除されない。すなわち、ある程度の大きさの回転力が加えられない限りは、第３突出部５３が第２突出部２７を逆戻りで乗り越えることはできない。よって、カバー４０のスピーカシステム本体１０に対する取り付け状態は安定である。
【００４４】
図９（ｄ），図１０の（ｄ）の状態は、本来の係合状態が完了したときの状態を示すものである。しかし、仮に、本体側係合部２０とカバー側係合部５０との係合状態が図９（ｄ），図１０（ｄ）のような完了状態に至ることなく、図９（ｂ），図１０（ｂ）のような状態で放置されることも考えられる。
【００４５】
すなわち、作業者がカバー４０をスピーカシステム本体１０に取り付けようとするときに、特に、カバー４０の後端（上端）が天井面７０ｂに接触しているような場合には、図９（ａ），図１０（ａ）の状態から図９（ｂ），図１０（ｂ）の状態へ移行させるにもある程度の大きな回転力をカバー４０に加えなければならないし、図９（ｂ），図１０（ｂ）の状態でもカバー４０のがたつきがない場合もあるからである。つまり、作業者は、両係合部（本体側係合部２０とカバー側係合部５０）が、図９（ｂ），図１０（ｂ）のような状態であるにもかかわらず、係合が完了したと勘違いして、この状態で（図９（ｂ），図１０（ｂ）の状態）で作業を終了してしまう可能性がある。
【００４６】
しかし、かかる状態（図９（ｂ），図１０（ｂ）の状態）で放置されたままであっても、スピーカシステム本体１０からカバー４０が脱落するには、第三突出部５３が第１突出部２３を逆戻りで取り乗り越えなくてはならない。そのためにはある程度の大きさの回転力がカバー４０に加えられなければならないが、天井埋込形スピーカシステム１の通常使用状態であれば、そのような大きな回転力がカバー４０に加えられることはない。スピーカユニット１１が駆動され、スピーカシステム本体１０やカバー４０が振動する状態になったとしても、第３突出部５３が第１突出部２３を乗り越ることができるほどに大きな回転力は加えられない。よって、天井埋込形スピーカシステム１の通常使用状態において、カバー４０がスピーカシステム本体１０から脱落することはない。従って、図９（ｂ），図１０（ｂ）の状態も、本体側係合部２０とカバー側係合部５０との係合が完了した状態であると考えることもできる。
【００４７】
以上、図１〜１０を参照しつつ、本願発明の一実施形態を説明した。次に他の実施形態を説明する。
【００４８】
図１１は、スピーカシステム本体１０Ｂとカバー４０Ｂとを裏面側から見た斜観図である。
【００４９】
スピーカシステム本体１０Ｂの取付部材１５Ｂには本体側係合部５０Ｂが形成されており、カバー４０Ｂの枠体４１Ｂにはカバー側係合部２０Ｂが形成されている。
【００５０】
カバー側係合部２０Ｂは、水平部２１Ｂを有し、その両端に第１突出部２３Ｂと第２突出部２７Ｂとを有する。水平部２１Ｂは円周方向に延存し、その前向面（下面）は水平面である。第１突出部２３Ｂも第２突出部２７Ｂも水平部２１Ｂの前向面よりも前方（下方）に突出している。
【００５１】
本体側係合部５０Ｂは、水平部５１Ｂを有し、その一端に第３突出部５３Ｂを有する。
水平部５１Ｂの後向面（上面）は水平面である。第３突出部５３Ｂは、水平部５１Ｂの後向面よりも後方（上方）に突出している。
【００５２】
図１１を図２，図４と比較すると理解されるように、図１１のカバー側係合部２０Ｂの構造は、図２の本体側係合部２０の構造と同一であり、図１１の本体側係合部５０Ｂの構造は、図４のカバー側係合部５０の構造と同一である。つまり、図２の本体側係合部２０を前後方向（上下方向）および周方向において反転させたものをカバーに設けると、図１１のカバー側係合部２０Ｂの構造となり、図４のカバー側係合部５０を前後方向（上下方向）および周方向において反転させたものをスピーカシステム本体に設けると、図１１の本体側係合部５０Ｂの構造となる。
【００５３】
図１１に示すカバー４０Ｂをスピーカシステム本体１０Ｂに前から（下から）はめ込んで回転させると、カバー側係合部２０Ｂが本体側係合部５０Ｂに乗り上げる。そして、第１突出部２３Ｂと第２突出部２７Ｂとが第３突出部５３Ｂを乗り越えた状態で、本来の係合状態が完了する。
【００５４】
しかし、第１突出部２３Ｂが第３突出部５３Ｂを乗り越え、かつ、第２突出部２７Ｂが第３突出部５３Ｂを乗り越えない状態で放置されたとしても、天井埋込形スピーカシステムの通常使用状態において、カバー４０Ｂがスピーカシステム本体１０Ｂから脱落することはない。脱落するには、カバー４０Ｂに、第１突出部２３Ｂが第３突出部５３Ｂを逆戻りで乗り越えることができるほどの大きさの回転力が加えなければならないが、天井埋込形スピーカシステムの通常使用状態において、カバー４０Ｂにそのような回転力が加えられることはないからである。
【００５５】
なお、図１１において符号２９Ｂで示す面は、係合完了状態において第３突出部５３Ｂが衝突する衝突面である。
【００５６】
以上、図１〜１１を参照しつつ、本願発明の種々の実施形態を説明した。
【００５７】
上記実施形態では、スピーカユニット本体に全て同一構造の本体側係合部が設けられ、カバーにも全て同一構造のカバー側係合部が設けられる例を示した。しかし、これら構造が同一である必要はない。例えば、スピーカユニット本体に複数の本体側係合部を設けるとき、この内の一部を図２の様な本体側係合部２０とし、残りを図１１のような本体側係合部５０Ｂとしてもよい。このときには、カバーにも、図４のようなカバー側係合部５０と図１１のようなカバー側係合部２０Ｂとを設ける。
【００５８】
また、上記実施形態では、スピーカユニット本体およびカバーには、全て、本願のカバー取付構造の係合部を採用したが、複数の係合部のうちの一部について本願のカバー取付構造を採用し、残りを従来のようなカバー取付構造の係合部（図１２のような係合部）としてもよい。
【００５９】
また、上記実施形態では、第１突出部と第２突出部が前後方向（上下方向）に可撓性を有する例を示したが、第３突出部にかかる可撓性を持たせてもよい。また、第１突出部、第２突出部、第３突出部のいずれもに可撓性を持たせなくてもよい。
【００６０】
また、上記実施形態では、本願のカバー取付構造が採用される平面部直付器具として天井埋込形スピーカシステムを示したが、本願発明が適用できる器具はこれに限らない。例えば、天井直付形の蛍光灯器具に適用し、環状蛍光灯の取り付けらた器具本体に対して、透光カバーが脱落しにくい取り付け構造とすることもできる。さらに、天井面のみならず、側壁面、大型設備器械の側面、パネル等に直付される器具に適用することもできる。
【００６１】
【発明の効果】
本発明は、以上説明したような形態で実施され、器具本体に対して取り付けらたカバーが、本来の係合完了の状態にまで至ることなく放置されている場合であっても、器具本体からカバーが脱落しにくくなる、という効果を奏する。
【図面の簡単な説明】
【図１】天井壁に取り付けられた天井埋込形スピーカシステムの縦断面図である。
【図２】スピーカシステム本体を裏面側から見た斜観図である。
【図３】スピーカシステム本体の背面図である。
【図４】カバーを裏面側から見た斜観図である。
【図５】カバーの背面図である。
【図６】図５のＶＩ−ＶＩ線矢視断面図である。
【図７】天井壁に固定されたスピーカシステム本体と、これに取り付けようとするカバーの側面図である。
【図８】スピーカシステム本体とカバーとをはめ合わせれた状態において、本体側係合部とカバー側係合部  及び  その近傍を裏面から見たときの斜観図である。
【図９】本体側係合部とカバー側係合部とが係合しゆく状態を（ａ）〜（ｄ）により段階的に示す斜観図である。
【図１０】本体側係合部とカバー側係合部とが係合しゆく状態を（ａ）〜（ｄ）により段階的に示す側面図である。
【図１１】スピーカシステム本体とカバーとを裏面側から見た斜観図である。
【図１２】従来のカバー取付構造を示す図であり、スピーカシステム本体とカバーの側面図である。
【図１３】図１２のカバー取付構造における、本体側係合部とカバー側係合部とが係合してゆく状態を（ａ）〜（ｃ）により段階的に示す側面図である。
【符号の説明】
１  天井埋込形スピーカシステム
１０  スピーカシステム本体
１１  スピーカユニット
１２  振動板
１５  取付部材
２０  本体側係合部
２１  水平部
２３  第１突出部
２７  第２突出部
４０  カバー
４１  枠体
４５  ネット部材
５０  カバー側係合部
５１  水平部
５３  第３突出部
７０  天井壁
７０ｂ  天井面
【図１】
2004173007.tif 000003
【図２】
2004173007.tif 000004
【図３】
2004173007.tif 000005
【図４】
2004173007.tif 000006
【図５】
2004173007.tif 000007
【図６】
2004173007.tif 000008
【図７】
2004173007.tif 000009
【図８】
2004173007.tif 000010
【図９】
2004173007.tif 000011
【図１０】
2004173007.tif 000012
【図１１】
2004173007.tif 000013
【図１２】
2004173007.tif 000014
【図１３】
2004173007.tif 000015